(57)【要約】【課題】避雷器の機能劣化表示手段を日常的に家族の者が確認し易い場所に設置することのできる避雷器を搭載した住宅用分電盤を提供する。【解決手段】主幹ブレーカ２と分岐ブレーカ３と共に避雷器４を分電盤ケース１に搭載した住宅用分電盤において、避雷器４の機能劣化表示手段４１を分電盤ケース１の外部に配置する。これにより、避雷器４の機能劣化表示手段４１を日常的に家族の者が確認し易い場所に設置することができる。【選択図】図１
2006020474.tif 000002
【特許請求の範囲】
【請求項１】
主幹ブレーカと分岐ブレーカと共に避雷器を分電盤ケースに搭載した住宅用分電盤において、避雷器の機能劣化表示手段を分電盤ケースの外部に配置したことを特徴とする住宅用分電盤。
【請求項２】
主幹ブレーカの一次側の通電状態を表示する電源ランプを分電盤ケースの主幹ブレーカのパネルカット部から臨ませて設けた請求項１に記載の住宅用分電盤。
【発明の詳細な説明】
【技術分野】
【０００１】
本発明は、主幹ブレーカと分岐ブレーカと共に避雷器を搭載した住宅用分電盤に関するものである。
【背景技術】
【０００２】
パソコンや電子機器を内蔵した電気機器が一般家庭において広く使用されているが、これらの電気機器は、雷サージを受けた場合に故障が起き易いものである。これを回避する手段として、これら電気機器に接続する配電線を分岐した分岐ブレーカに通電する前に雷サージを避雷させる避雷器を搭載した住宅用分電盤がある（例えば、特許文献１、２参照）。
【０００３】
ところが、避雷器はある程度の大きさの雷サージを所定回数受けると避雷器としての機能がなくなり交換する必要がある。そこで、避雷器の避雷機能がなくなったことを表示するため発光素子を避雷器に組み込み、通常状態では発光素子に通電して発光素子を点灯させ、避雷器としての機能がなくなった場合に通電を停止して発光素子を消灯させて、避雷器としての機能がなくなったことを知らせる機能劣化表示手段を設けている。
【０００４】
しかし、一般家庭において住宅用分電盤は通常目に付きづらい玄関、台所等の壁面上方に設置しているのが普通である。そのため、分電盤に搭載した避雷器の機能劣化表示手段の確認を行うことが怠りがちとなり、避雷器が避雷機能をなくなったことを見逃し、避雷器の交換を怠り雷サージを受けてパソコンや電子機器を内蔵した電気機器を故障させるという問題がある。
【特許文献１】特開２０００−２１５４８号公報
【特許文献２】特開２００４−２３８８８号公報
【発明の開示】
【発明が解決しようとする課題】
【０００５】
本発明は上記の問題点を解決し、避雷器の機能劣化表示手段を日常的に家族の者が確認し易い場所に設置することのできる避雷器を搭載した住宅用分電盤を提供するためになされたものである。
【課題を解決するための手段】
【０００６】
上記の課題を解決するために完成された本発明の住宅用分電盤は、主幹ブレーカと分岐ブレーカとともに避雷器を分電盤ケースに搭載した住宅用分電盤において、避雷器の機能劣化表示手段を分電盤ケースの外部に配置したことを特徴とするものである。また、この発明において主幹ブレーカの一次側の通電状態を表示する電源ランプを分電盤ケースの主幹ブレーカのパネルカット部から臨ませて設けることが好ましい。
【発明の効果】
【０００７】
本発明の住宅用分電盤は、避雷器を搭載しているので雷サージを受けた場合には、速やかにアースして該雷サージを分岐ブレーカよりコンセントを介して接続しているパソコンや電子機器を内蔵した電気機器に流れることがないことはこの種住宅用分電盤と同様である。しかし、本発明の特徴とするところは、避雷器の機能劣化表示手段を分電盤ケースの外部に配置したことにある。これにより、この機能劣化表示手段を家族の者が日常的に注意を惹きやすいインターフォンに組み込んだり、これに隣接させて設置することができ、避雷器がある程度の大きさの雷サージを所定回数受けて避雷器としての機能がなくなったことを速やかに且つ簡単に確認でき、避雷器の交換や修理の手配ができるものである。
【０００８】
また、主幹ブレーカの一次側の通電状態を表示する電源ランプを分電盤ケースの主幹ブレーカのパネルカット部から臨ませて設けておけば、避雷器の機能劣化表示手段が劣化表示をした場合にその表示が停電によるものか避雷器の劣化によるものであるかを電源ランプを視認することにより確認できるものである。
【発明を実施するための最良の形態】
【０００９】
次に、本発明の実施形態を図を参照して説明する。
１は分電盤ケースであり、該分電盤ケース１には主幹ブレーカ２と多数の分岐ブレーカ３とともに避雷器４が搭載されている。前記避雷器４は分岐ブレーカ取付部の一部を利用して取り付けられており、主幹ブレーカ２の二次側に接続した図示を略したＬ１、Ｎ、Ｌ２の３本の幹線バーに前記分岐ブレーカ３と共に接続したうえアース線により接地している。
【００１０】
また、避雷器４は機能劣化表示手段４１を分電盤ケース１の外部に配置している。すなわち、機能劣化表示手段４１を家族の者が日常的に注意を惹きやすいインターフォン５に組み込んだり、これに隣接させて設置するものとしている。この機能劣化表示手段４１は正常時には発光素子に通電して発光素子を点灯させ、避雷器としての機能がなくなった場合に通電を停止して発光素子を消灯させて避雷器としての機能がなくなったことを知らせるものとしても、通電が停止した場合に内蔵電池が通電して液晶表示により異常状態及び避雷器の交換・連絡先を表示するものとしても、音声表示するものであってもよく、また、これらを複数組み合わせたものであってもよい。
【００１１】
このような構成としたことにより、機能劣化表示手段４１を家族の者が日常的に注意を惹きやすいインターフォン５に組み込んだり、これに隣接させて設置することができ、避雷器４がある程度の大きさの雷サージを所定回数受けて避雷器としての機能がなくなったことを速やかに且つ簡単に確認でき、避雷器の交換や修理の手配ができるものである。
【００１２】
なお、このように機能劣化表示手段４１を分電盤ケース１の外部に配置する外に避雷器４自体に副機能劣化表示手段４２を直接設けて分電盤ケース１の避雷器４のパネルカット部１１から臨ませる構成とすれば、住宅用分電盤を視認する機会がある場合にも避雷器の正常・異常を確認できるものである。
【００１３】
さらに、前記主幹ブレーカ２の一次側の通電状態を表示する電源ランプ２１を分電盤ケース１の主幹ブレーカのパネルカット部１２から臨ませて設けたものとすることが好ましい。このような構成を採用することにより、避雷器４の機能劣化表示手段４１が劣化表示をした場合に、その表示が商用電源の停電によるものか避雷器の劣化によるものであるかを電源ランプ２１を視認することにより確認することにより行うことができるものである。また、電源ランプ２１は夜間において主幹ブレーカ２が過負荷・漏電等で遮断された場合に住宅用分電盤の設置箇所を表示する保安灯しての機能を有するものである。なお、このようなものでは、分電盤に電源ランプ表示するための専用の構造や加工が不要となるものである。
【図面の簡単な説明】
【００１４】
【図１】本発明の実施形態を概略して示す正面図である。
【符号の説明】
【００１５】
１  分電盤ケース
12  主幹ブレーカのパネルカット部
２  主幹ブレーカ
３  分岐ブレーカ
４  避雷器
41  機能劣化表示手段
【図１】
2006020474.tif 000003